(57)【特許請求の範囲】
【請求項１】
光電変換素子に光を当てて前記光電変換素子に電荷を発生させるステップと、
前記光電変換素子に発生した前記電荷を前記光電変換素子から電荷蓄積部に移動させるために、前記光電変換素子と前記電荷蓄積部との間に設けられたゲートを、前記光電変換素子により画像を読み取る動作を実行する場合に開放する所定時間に比べて短い時間だけ開放するステップと、
前記ゲートを前記短い時間だけ開放することにより前記電荷蓄積部に移動した前記電荷の電荷量であって、前記ゲートを前記所定時間開放することにより前記電荷蓄積部に移動する前記電荷の電荷量に比べて減少した電荷量を検出するステップと、
検出した減少後の前記電荷量に基づき前記光電変換素子が不良か否かを判定するステップと、
を有することを特徴とする光電変換素子の検査方法。
【請求項２】
前記光電変換素子がフォトダイオードであることを特徴とする請求項１に記載の光電変換素子の検査方法。
【請求項３】
検出した減少後の前記電荷量と所定値とを比較して前記光電変換素子が不良か否かを判定することを特徴とする請求項１または２に記載の光電変換素子の検査方法。
【請求項４】
更に、不良であると判定された前記光電変換素子に関する情報をメモリに記憶するステップを有することを特徴とする請求項１〜３のいずれか１項に記載の光電変換素子の検査方法。
【請求項５】
更に、前記電荷蓄積部に移動した前記電荷の減少後の電荷量を検出するために、前記電荷蓄積部に移動した前記電荷を前記電荷の電荷量を検出する検出回路まで移動させるステップを有することを特徴とする請求項１〜４のいずれか１項に記載の光電変換素子の検査方法。
【請求項６】
前記光電変換素子に電荷を発生させるときに、所定の透過率の透過フィルムを透過した光を前記光電変換素子に当てることを特徴とする請求項１〜５のいずれか１項に記載の光電変換素子の検査方法。
【請求項７】
前記光電変換素子が複数あることを特徴とする請求項１〜６のいずれか１項に記載の光電変換素子の検査方法。
【請求項８】
前記光電変換素子が、レッド、ブルーおよびグリーンの３色の光をそれぞれ受光する３つの光電変換素子であることを特徴とする請求項１〜７のいずれか１項に記載の光電変換素子の検査方法。
【請求項９】
前記３つの光電変換素子と前記電荷蓄積部との間に、前記光電変換素子に発生した前記電荷が前記電荷蓄積部へと移動するときに通過するレジスタが設けられ、前記レジスタと前記３つの光電変換素子との間にそれぞれ前記ゲートとして第１ゲートが設けられ、前記レジスタと前記電荷蓄積部との間に前記ゲートとして第２ゲートが設けられ、前記３つの光電変換素子と前記電荷蓄積部との間の距離がそれぞれ異なっていることを特徴とする請求項８に記載の光電変換素子の検査方法。
【請求項１０】
原稿から画像を読み取るためのイメージセンサを備え、
前記イメージセンサは、受けた光によって電荷が発生する光電変換素子と、
前記光電変換素子に発生した前記電荷が移動する電荷蓄積部と、
前記光電変換素子と前記電荷蓄積部との間に設けられ、前記光電変換素子から前記電荷蓄積部へと前記電荷を移動させるために開放されるゲートと、
前記ゲートを所定時間開放するための第１制御信号と、前記ゲートを前記所定時間よりも短い時間開放させるための第２の制御信号とを出力する信号出力部と、
前記ゲートを前記短い時間だけ開放することにより前記電荷蓄積部に移動した前記電荷の電荷量であって、前記ゲートを前記所定時間開放することにより前記電荷蓄積部に移動する前記電荷の電荷量に比べて減少した電荷量を検出する電荷量検出部と、
を有することを特徴とする画像読み取り装置。
【請求項１１】
光電変換素子に光を当てて前記光電変換素子に発生した電荷を前記光電変換素子から電荷蓄積部に移動させるために、前記光電変換素子と前記電荷蓄積部との間に設けられたゲートを、前記光電変換素子により画像を読み取る動作を実行する場合に開放する所定時間に比べて短い時間だけ開放するステップと、
前記ゲートを前記短い時間だけ開放することにより前記電荷蓄積部に移動した前記電荷の電荷量であって、前記ゲートを前記所定時間開放することにより前記電荷蓄積部に移動する前記電荷の電荷量に比べて減少した電荷量に関する情報を取得するステップと、
取得した前記情報に基づき前記光電変換素子が不良か否かを判定するステップと、
を、画像読み取り装置に実行させるためのコードを有することを特徴とするプログラム。
【発明の詳細な説明】
【技術分野】
【０００１】
本発明は、光電変換素子の検査方法、画像読み取り装置およびプログラムに関する。
【背景技術】
【０００２】
複写機やファクシミリ、スキャナといった画像読み取り装置には、原稿から画像を読み取るためのイメージセンサが設けられている。このイメージセンサは、フォトダイオードなどにより構成された光電変換素子を備えている。光電変換素子には、受けた光の量に応じた電荷が発生する。イメージセンサは、このようにして光電変換素子に発生した電荷の電荷量を検出することで、原稿から画像を読み取るようになっている。
【０００３】
ところで、このようなイメージセンサにあっては、次のような不具合が発生することがあった。すなわち、光電変換素子にて発生した電荷の電荷量を検出するために、発生した電荷を光電変換素子から所定の電荷蓄積部に移動させるときに、光電変換素子にて発生した電荷の一部が光電変換素子に残留してしまい、全ての電荷が電荷蓄積部へと移動しない場合があるという不具合が発生することがあった。この不具合については、リニアリティ不良とも呼ばれている。このようなリニアリティ不良が発生した場合には、原稿からきちんと画像を読み取ることができず、このため、読み取った画像に、例えば、縦スジ等の不具合が発生して、画質に大きな影響を及ぼすという問題が発生した。
【０００４】
そこで、従来から、このようなリニアリティ不良に対して様々な対応方法が提案されている（特許文献１または２参照）。
【特許文献１】特開平１０−２７６３０５号公報
【特許文献２】特開平１０−２７６３６８号公報
【発明の開示】
【発明が解決しようとする課題】
【０００５】
しかしながら、従来から提案されている対応方法には、イメージセンサに設けられた複数の光電変換素子についてそれぞれ個別に、非常に簡単にリニアリティ不良か否かを検査する方法が提案されていなかった。  
本発明は、このような事情に鑑みてなされたものであって、その目的は、光電変換素子について不良か否かの検査を簡単に実施し得るようにすることにある。
【課題を解決するための手段】
【０００６】
前記目的を達成するための主たる発明は、
光電変換素子に光を当てて前記光電変換素子に電荷を発生させるステップと、
前記光電変換素子に発生した前記電荷を前記光電変換素子から電荷蓄積部に移動させるために、前記光電変換素子と前記電荷蓄積部との間に設けられたゲートを、前記光電変換素子により画像を読み取る動作を実行する場合に開放する所定時間に比べて短い時間だけ開放するステップと、
前記ゲートを前記短い時間だけ開放することにより前記電荷蓄積部に移動した前記電荷の電荷量であって、前記ゲートを前記所定時間開放することにより前記電荷蓄積部に移動する前記電荷の電荷量に比べて減少した電荷量を検出するステップと、
検出した減少後の前記電荷量に基づき前記光電変換素子が不良か否かを判定するステップと、
を有することを特徴とする光電変換素子の検査方法である。
【０００７】
本発明の他の特徴は、本明細書及び添付図面の記載により明らかにする。
【発明を実施するための最良の形態】
【０００８】
＝＝＝開示の概要＝＝＝
本明細書及び添付図面の記載により、少なくとも以下の事項が明らかとなる。
【０００９】
光電変換素子に光を当てて前記光電変換素子に電荷を発生させるステップと、
前記光電変換素子に発生した前記電荷を前記光電変換素子から電荷蓄積部に移動させるために、前記光電変換素子と前記電荷蓄積部との間に設けられたゲートを、前記光電変換素子により画像を読み取る動作を実行する場合に比べて短い時間だけ開放するステップと、
前記電荷蓄積部に移動した前記電荷の電荷量を検出するステップと、
検出した前記電荷量に基づき前記光電変換素子が不良か否かを判定するステップと、
を有することを特徴とする光電変換素子の検査方法。
【００１０】
このような光電変換素子の方法にあっては、光電変換素子と電荷蓄積部との間に設けられたゲートを、光電変換素子により画像を読み取る動作を実行する場合に比べて短い時間だけ開放することで、光電変換素子が不良か否かを簡単に判定することができる。これにより、光電変換素子の検査を効率よく実施することができる。
【００１１】
かかる光電変換素子の検査方法にあっては、前記光電変換素子がフォトダイオードであっても良い。このように光電変換素子がフォトダイオードであれば、検査を簡単に実施することができる。
【００１２】
また、かかる光電変換素子の検査方法にあっては、検出した前記電荷量と所定値とを比較して前記光電変換素子が不良か否かを判定しても良い。このような判定を行うことで、光電変換素子が不良か否かを簡単に判定することができる。
【００１３】
また、かかる光電変換素子の検査方法にあっては、更に、不良であると判定された前記光電変換素子に関する情報をメモリに記憶するステップを有しても良い。このように不良であると判定された光電変換素子に関する情報をメモリに記憶することで、光電変換素子が不良であっても対応することができる。
【００１４】
また、かかる光電変換素子の検査方法にあっては、更に、前記電荷蓄積部に移動した前記電荷の電荷量を検出するために、前記電荷蓄積部に移動した前記電荷を前記電荷の電荷量を検出する検出回路まで移動させるステップを有しても良い。このようなステップを有することで、電荷蓄積部に移動した前記電荷を前記電荷の電荷量を検出回路により簡単に検出することができる。
【００１５】
また、かかる光電変換素子の検査方法にあっては、前記光電変換素子に電荷を発生させるときに、所定の透過率の透過フィルムを透過した光を前記光電変換素子に当てても良い。このように所定の透過率の透過フィルムを透過した光を光電変換素子に当てることで、光電変換素子に当てる光の光量を簡単に調節することができる。
【００１６】
また、かかる光電変換素子の検査方法にあっては、前記光電変換素子が複数あっても良い。このように光電変換素子が複数あった場合であっても、各光電変換素子について個別に簡単に検査を実施することができる。
【００１７】
また、かかる光電変換素子の検査方法にあっては、前記光電変換素子が、レッド、ブルーおよびグリーンの３色の光をそれぞれ受光する３つの光電変換素子であっても良い。このように光電変換素子が、３色の光をそれぞれ受ける３つの光電変換素子である場合に、各光電変換素子について個別に簡単に検査を実施することができる。
【００１８】
また、かかる光電変換素子の検査方法にあっては、前記３つの光電変換素子と前記電荷蓄積部との間に、前記光電変換素子に発生した前記電荷が前記電荷蓄積部へと移動するときに通過するレジスタが設けられ、前記レジスタと前記３つの光電変換素子との間にそれぞれ前記ゲートとして第１ゲートが設けられ、前記レジスタと前記電荷蓄積部との間に前記ゲートとして第２ゲートが設けられ、前記３つの光電変換素子と前記電荷蓄積部との間の距離がそれぞれ異なっていても良い。このような場合に、光電変換素子が不良か否かを簡単に判定することができる。
【００１９】
光電変換素子に光を当てて前記光電変換素子に電荷を発生させるステップと、
前記光電変換素子に発生した前記電荷を前記光電変換素子から電荷蓄積部に移動させるために、前記光電変換素子と前記電荷蓄積部との間に設けられたゲートを、前記光電変換素子により画像を読み取る動作を実行する場合に比べて短い時間だけ開放するステップと、
前記電荷蓄積部に移動した前記電荷の電荷量を検出するステップと、
検出した前記電荷量に基づき前記光電変換素子が不良か否かを判定するステップと、
を有し、
前記光電変換素子がフォトダイオードであり、
検出した前記電荷量と所定値とを比較して前記光電変換素子が不良か否かを判定し、
更に、不良であると判定された前記光電変換素子に関する情報をメモリに記憶するステップと、前記電荷蓄積部に移動した前記電荷の電荷量を検出するために、前記電荷蓄積部に移動した前記電荷を前記電荷の電荷量を検出する検出回路まで移動させるステップとを有し、
前記光電変換素子に電荷を発生させるときに、所定の透過率の透過フィルムを透過した光を前記光電変換素子に当て、
前記光電変換素子が複数あり、
前記光電変換素子が、レッド、ブルーおよびグリーンの３色の光をそれぞれ受光する３つの光電変換素子であり、
前記３つの光電変換素子と前記電荷蓄積部との間に、前記光電変換素子に発生した前記電荷が前記電荷蓄積部へと移動するときに通過するレジスタが設けられ、前記レジスタと前記３つの光電変換素子との間にそれぞれ前記ゲートとして第１ゲートが設けられ、前記レジスタと前記電荷蓄積部との間に前記ゲートとして第２ゲートが設けられ、前記３つの光電変換素子と前記電荷蓄積部との間の距離がそれぞれ異なっていることを特徴とする光電変換素子の検査方法。
【００２０】
原稿から画像を読み取るためのイメージセンサを備え、
前記イメージセンサは、受けた光によって電荷が発生する光電変換素子と、
前記光電変換素子に発生した前記電荷が移動する電荷蓄積部と、
前記光電変換素子と前記電荷蓄積部との間に設けられ、前記光電変換素子から前記電荷蓄積部へと前記電荷を移動させるために開放されるゲートと、
前記ゲートを所定時間開放するための第１制御信号と、前記ゲートを前記所定時間よりも短い時間開放させるための第２の制御信号とを出力する信号出力部と、
前記電荷蓄積部に移動した前記電荷の電荷量を検出する電荷量検出部と、
を有することを特徴とする画像読み取り装置。
【００２１】
光電変換素子に光を当てて前記光電変換素子に発生した電荷を前記光電変換素子から電荷蓄積部に移動させるために、前記光電変換素子と前記電荷蓄積部との間に設けられたゲートを、前記光電変換素子により画像を読み取る動作を実行する場合に比べて短い時間だけ開放するステップと、
前記電荷蓄積部に移動した前記電荷の電荷量に関する情報を取得するステップと、
取得した前記情報に基づき前記光電変換素子が不良か否かを判定するステップと、
を、画像読み取り装置に実行させるためのコードを有することを特徴とするプログラム。
【００２２】
＝＝＝画像読み取り装置の概要＝＝＝
本発明に係る光電変換素子の検査方法等について、光電変換素子を有するイメージセンサを備えた画像読み取り装置である複合装置を例にして説明する。この複合装置は、原稿から画像を読み取って画像データを生成するスキャナ部（画像読み取り部）と、媒体に対して印刷を施す印刷部とを備えている。
【００２３】
図１〜図５は、複合装置の一例について説明したものである。図１は、複合装置１の外観を示した斜視図である。図２は、複合装置１のスキャナ部１０の概要を説明する斜視図である。図３は、複合装置１のプリンタ部の概要を説明する斜視図である。図４は、複合装置１の内部構成を概略的に説明する説明図である。図５は、複合装置１の操作パネル２を説明する平面図である。
【００２４】
この複合装置１は、原稿から画像を読み取って画像データを生成するスキャナ機能と、ホストコンピュータ（図示外）から送られてきた印刷データに基づき印刷用紙等の各種媒体に印刷を施すプリンタ機能と、原稿から読み取った画像を媒体に印刷して複写するローカルコピー機能とを備えている。この複合装置１は、図１に示すように、その上部に原稿５から画像を読み取るためのスキャナ部１０を備えている。また、この複合装置１の下部には、印刷用紙等の媒体Ｓに印刷をするためのプリンタ部３０を備えている。また、この複合装置１の前面部には、操作パネル２が設けられている。
【００２５】
スキャナ部１０は、図２に示すように、原稿５がセットされるガラス板が設けられた原稿台１１と、当該原稿台１１を上方から覆う原稿台カバー１２とを備えている。原稿台カバー１２は、複合装置１の後端部に回動可能に取付けられ、原稿台１１の上面部を開閉するように設けられている。
【００２６】
一方、プリンタ部３０は、図３に示すように、スキャナ部１０を上方に持ち上げることによって、その内部が開口部３２を通じて外部に開放されるように構成されている。つまり、スキャナ部１０は、複合装置１の後部にヒンジ部３４を介して回動自在に装着されている。スキャナ部１０が上方へと持ち上げられると、プリンタ部３０の内部に通じる開口部３２が開放される。プリンタ部３０の内部には、インクカートリッジを搭載するキャリッジ４１などが配置されている。このようにプリンタ部３０の内部が開放されることにより、その開口部３２を通じてインクカートリッジの交換等のメンテナンス作業や、紙詰まり等のエラー対処等を容易に行うことができるようになっている。
【００２７】
また、プリンタ部３０は、複合装置１の背部に、印刷用紙等の媒体Ｓがセットされて当該媒体Ｓを順次供給する給紙部４を備えている。また、プリンタ部３０は、複合装置１の前部に、印刷された媒体Ｓが排出される排紙部３を備えている。給紙部４は、給紙トレイ８を備えている。給紙トレイ８には、印刷用紙等の媒体がセットされるようになっている。また、排紙部３は、排紙トレイ７を備え、印刷されて排出された媒体Ｓを受ける。なお、給紙部４にセットされる媒体Ｓとしては、カット紙などの単票状印刷用紙のみならず、ロール紙などの連続した印刷用紙でも構わず、給紙部４がこれらの媒体Ｓに対応した構造を備えていても良い。
【００２８】
＝＝＝スキャナ部１０・プリンタ部３０の内部機構＝＝＝
図４は、スキャナ部１０およびプリンタ部３０の内部機構を示したものである。
【００２９】
＜スキャナ部＞
スキャナ部１０は、同図の上部に示すように、原稿台１１の下側に、スキャナ用キャリッジ６０と、このスキャナ用キャリッジ６０を原稿台１１に対して所定の間隔を保ちつつ図中矢印Ａ方向に沿って平行に移動させる駆動機構６２と、このスキャナ用キャリッジ６０を支持しつつその移動を案内するガイド６４とを備えている。
【００３０】
スキャナ用キャリッジ６０には、原稿台１１を介して原稿５に対し光を照射する光源としての露光ランプ６６と、原稿５により反射された反射光が入射するレンズ７０Ａと、このレンズ７０Ａを通じてスキャナ用キャリッジ６０の内部に取り込まれた反射光を受光するイメージセンサ７２Ａとが設けられている。さらに、本実施形態では、これらレンズ７０Ａおよびイメージセンサ７２Ａの他に、原稿としてフィルムから画像を読み取るためのイメージセンサ７２Ｂおよびレンズ７０Ｂを備えている。
【００３１】
本実施形態では、これらのイメージセンサ７２Ａ、７２Ｂは、光信号を電気信号に変換するフォトダイオード等の光電変換素子が列状に配置されたリニアＣＣＤセンサにより構成されている。また、イメージセンサ７２Ａ、７２Ｂは、密着型イメージセンサ(ＣＩＳイメージセンサ：Contact Image Sensor)となっていて、その幅寸法が読み取る原稿のサイズに対応して設定されている。つまり、イメージセンサ７２Ａ、７２Ｂは、原稿台１１にセットされた原稿５の画像を等倍にて読み取ることができるようになっている。イメージセンサ７２Ａ、７２Ｂにより読み取られた画像のデータは、制御部５０に出力される。
【００３２】
また、駆動機構６２は、スキャナ用キャリッジ６０に接続されたタイミングベルト７４と、このタイミングベルト７４が掛け渡された一対のプーリ７５、７６と、一方のプーリ７５を回転駆動する駆動モータ７７とを備えている。駆動モータ７７は、制御部５０からの制御信号によって駆動制御される。
【００３３】
＜プリンタ部＞
一方、プリンタ部３０は、図４の下部に示すように、プリンタ用キャリッジ４１と、このプリンタ用キャリッジ４１に搭載されたヘッド２１と、プリンタ用キャリッジ４１を媒体Ｓに対して所定の間隔を保持しつつ相対的に平行に移動させる駆動機構２４と、媒体Ｓをプリンタ用キャリッジ４１の移動方向と直交する方向に沿って搬送する搬送機構３６とを備えている。
【００３４】
プリンタ用キャリッジ４１には、カートリッジ装着部が設けられ、このカートリッジ装着部には、黒（Ｋ）、シアン（Ｃ）、マゼンタ（Ｍ）、イエロ（Ｙ）等のインクが収容されたインクカートリッジが装着される。
【００３５】
ヘッド２１は、インクカートリッジから供給された各色のインクを媒体Ｓに向けて吐出して当該媒体Ｓ上にドットを形成して、媒体Ｓに画像を印刷する。
【００３６】
駆動機構２４は、プリンタ用キャリッジ４１に接続されたタイミングベルト４５と、このタイミングベルト４５に噛合されたプーリ４４と、このプーリ４４を回転駆動するキャリッジモータ４２（以下、ＣＲモータともいう）と、プリンタ用キャリッジ４１の移動を案内するガイドレール４６と、プリンタ用キャリッジ４１の位置を検出するリニア式エンコーダとしてリニア式エンコーダ符号板５１およびこのリニア式エンコーダ符号板５１を読み取る検出部５２とを備えている。この駆動機構２４は、キャリッジモータ４２を駆動してプーリ４４を介してタイミングベルト４５を回転させる。これにより、プリンタ用キャリッジ４１は、媒体Ｓに対してガイドレール４６に沿って相対的に移動する。キャリッジモータ４２は、制御部５０からの制御信号により駆動制御される。
【００３７】
搬送機構３６は、プラテン１４と、搬送ローラ１７Ａと、当該搬送ローラ１７Ａを回転駆動する搬送モータ１５と、媒体Ｓが所定位置に到達したか否かを検出する紙検知センサ５３と、搬送ローラ１７Ａの回転量を検出するロータリ式エンコーダ５６とを備えている。プラテン１４は、ヘッド２１に対向して配置されている。搬送モータ１５が駆動すると、搬送ローラ１７Ａが回転して、媒体Ｓがプラテン１４上を搬送される。搬送モータ１５は、制御部５０からの制御信号により駆動制御される。
【００３８】
印刷時には、媒体Ｓが搬送ローラ１７Ａにより間欠的に所定の搬送量で搬送され、その間欠的な搬送の合間にプリンタ用キャリッジ４１が、搬送ローラ１７Ａによる搬送方向に対して交差する方向に沿って移動しながら、ヘッド２１から媒体Ｓに向けてインクが吐出されて印刷が施される。
【００３９】
＝＝＝操作パネル＝＝＝
図５は、複合装置１の操作パネル２を示したものである。この操作パネル２は、そのほぼ中央部に液晶ディスプレイ８０を備えている。液晶ディスプレイ８０は、文字や画像の表示が可能である。液晶ディスプレイ８０の表示内容は、設定項目や設定状態、動作状態等に応じて変化する。
【００４０】
液晶ディスプレイ８０の左側には、報知ランプ８１と、電源ボタン８２と、各種設定ボタン８３と、モードボタン８４、８５、８６、８７と、給排紙ボタン８８とが設けられている。報知ランプ８１は、赤色ＬＥＤであり、エラー発生時に点灯してユーザーにエラー発生を報知する。電源ボタン８２は、複合装置１の電源をオン、オフするためのボタンである。各種設定ボタン８３は、複合装置１の各種設定を行うための画面を液晶ディスプレイ８０に表示するためのボタンである。モードボタン８４、８５、８６、８７は、それぞれ複合装置１のモードを設定するためのボタンである。ここでは、モードボタンとして、コピーモードボタン８４と、メモリカード印刷モードボタン８５と、フィルム印刷モードボタン８６と、スキャンモードボタン８７とが設けられている。
【００４１】
液晶ディスプレイ８０の右側には、ＯＫボタン８９Ａと、キャンセルボタン８９Ｂと、保存ボタン８９Ｃと、カラーコピーボタン８９Ｄと、モノクロコピーボタン８９Ｅと、ストップボタン８９Ｆと、十字ボタン８９Ｇと、メニューボタン８９Ｈとが設けられている。ＯＫボタン８９Ａが押されると、液晶ディスプレイ８０に表示されている内容にて設定条件が決定される。キャンセルボタン８９Ｂが押されると、設定条件がクリアされ、各設定項目がデフォルト値に変更される。カラーコピーボタン８９Ｄは、カラーコピーを開始させるためのボタンである。モノクロコピーボタン８９Ｅは、モノクロコピーを開始させるためのボタンである。ストップボタン８９Ｆは、一旦開始したコピー動作を中止させるためのボタンである。十字ボタン８９Ｇは、その上下左右の４箇所を選択的に押すことが可能であり、１つのボタンで４つの機能（上ボタン、下ボタン、左ボタン及び右ボタンの機能）を果たす。メニューボタン８９Ｈは、液晶ディスプレイ８０に表示される設定項目を切り替える。
【００４２】
＝＝＝制御部５０の構成＝＝＝
図６は、本実施形態に係る複合装置１の制御部５０のシステム構成を示したブロック構成図である。
【００４３】
複合装置１の制御部５０は、複合装置１全体の制御を司るＣＰＵ９０と、制御のためのプログラムを記憶したメモリ９２と、スキャナ機能、プリント機能、ローカルコピー機能の各制御を司る制御ＡＳＩＣ９４と、ＣＰＵ９０から直接データを読み書き可能なＳＤＲＡＭ９６と、入力手段としての操作パネル２とがＣＰＵバス９８により接続されている。制御ＡＳＩＣ９４には、ＡＳＩＣ用ＳＤＲＡＭ１０２が設けられている。
【００４４】
制御ＡＳＩＣ９４は、スキャナコントロールユニット１０４と、リサイズユニット１０６と、２値化処理ユニット１０８と、インターレース処理ユニット１１０と、イメージバッファユニット１１２と、ＣＰＵインターフェイスユニット１１４と、ヘッドコントロールユニット１１６と、外部のホストコンピュータ１４０との入出力手段としてのＵＳＢインターフェイス１１８と、ローカルバス１２８とを備えている。また、ＡＳＩＣ用ＳＤＲＡＭ１０２には、ラインバッファ１２０、リサイズバッファ１２２、インターレースバッファ１２４、イメージバッファ１２６、１２７がそれぞれ割り当てられて設けられている。
【００４５】
スキャナコントロールユニット１０４は、スキャナ部１０が備える露光ランプ６６、イメージセンサ７２Ａ、７２Ｂ、スキャナ用キャリッジ６０の駆動モータ７７等を制御する。スキャナコントロールユニット１０４は、イメージセンサ７２Ａ、７２Ｂを介して読み込んだ画像データを送出する。
【００４６】
リサイズユニット１０６は、所定のサイズの画像データを受け取り、その画像データのサイズを変更し、サイズ変更された画像データを送出する。２値化処理ユニット１０８は、送出された多階調のＲＧＢデータをＣＭＹＫの２値データ（又は２ビットデータ）に変換して、インターレース処理ユニット１１０に送出する。
【００４７】
インターレース処理ユニット１１０は、２値化処理ユニットから送られてきたＣＭＹＫの２値データ（又は２ビットデータ）を、ＡＳＩＣ側ＳＤＲＡＭ１０２のインターレースバッファ１２４に格納する。そして、インターレース処理ユニット１１０は、インターレースバッファ１２４に格納されたＣＭＹＫの２値データ（又は２ビットデータ）を所定のサイズ毎に読み出して、ノズル配列に対応させるべく並び替えてイメージバッファユニット１１２に送出する。
【００４８】
イメージバッファユニット１１２では、インターレース処理ユニット１１０から送出されたデータから、プリンタ用のキャリッジ４１の移動毎の各ノズルにインクを吐出させるためのヘッド駆動データを生成する。ここでイメージバッファユニット１１２は、ＳＤＲＡＭ１０２上に設けられたイメージバッファ１２６、１２７にヘッド駆動データを格納する。イメージバッファ１２６、１２７には、それぞれプリンタ用のキャリッジ４１が１回移動する毎のヘッド駆動データが格納される。
【００４９】
ＣＰＵインターフェイスユニット１１４は、制御ＡＳＩＣ９４に接続されたＡＳＩＣ用ＳＤＲＡＭ１０２へのＣＰＵ９０からのアクセスを可能にしている。ここでは、ＣＰＵインターフェイスユニット１１４を介して、イメージバッファユニット１１２により生成されたヘッド駆動データがイメージバッファ１２６、１２７からヘッドコントロールユニット１１６へと送出される。
【００５０】
ヘッドコントロールユニット１１６は、ＣＰＵ９０により送られてきたヘッド駆動データに基づきヘッド２１を駆動して、ヘッド２１の各ノズル♯１〜♯１８０からインクを吐出させる。
【００５１】
＝＝＝制御部５０内のデータの流れ＝＝＝
＜スキャナ機能時について＞
制御ＡＳＩＣ９４のＵＳＢインターフェイス１１８に接続されたホストコンピュータ１４０から、スキャナ部１０による画像読み取り指令信号と、読み取り解像度、読み取り領域等の読み取り情報データとが制御部５０に送信される。制御部５０では、画像読み取り指令信号と読み取り情報データとに基づいて、スキャナコントロールユニット１０４が制御され、スキャナ部１０による原稿５の読み取りが開始される。このとき、スキャナコントロールユニット１０４は、露光ランプ６６やイメージセンサ７２Ａ、７２Ｂ、駆動機構６２を駆動してイメージセンサ７２Ａ、７２Ｂから順次画像データとして読み込んでＡＳＩＣ用ＳＤＲＡＭ１０２のラインバッファ１２０に一旦格納する。そして、スキャナコントロールユニット１０４は、ラインバッファ１２０に格納した画像データに対してライン間補正処理等を施して、ＵＳＢインターフェイス１１８を介してホストコンピュータ１４０に出力する。
【００５２】
＜プリンタ機能時について＞
プリンタ機能時には、ホストコンピュータ１４０のプリンタドライバが画像データをヘッド駆動データに変換し、ヘッド駆動データがＵＳＢインターフェイス１１８から入力される。ヘッド駆動データは、ＣＰＵバス９８に接続されたＳＤＲＡＭ９６に割り付けられたイメージバッファ１３２に記憶される。イメージバッファ１３２は、２つに分けられたメモリ領域（イメージバッファ１３３、１３４）を備えている。各イメージバッファ１３３、１３４は、プリンタ用のキャリッジ４１の１回の移動により印刷するためのヘッド駆動データを記憶することができる容量を有する。そして、一方のイメージバッファ１３３に１回の移動分のデータが書き込まれると、ヘッドコントロールユニット１１６に転送される。このとき、一方のイメージバッファ１３３のヘッド駆動データがヘッドコントロールユニット１１６に転送されると、他方のイメージバッファ１３４には次の移動の際に印刷するためのヘッド駆動データが記憶される。そして他方のイメージバッファ１３４に１回の移動分のデータが書き込まれると、ヘッドコントロールユニット１１６に転送され、前記一方のイメージバッファ１３３にイメージデータが書き込まれる。このように、２つのイメージバッファ１３３，１３４を用いて、ヘッド駆動データの書き込み、読み出しを交互に行いながらヘッドコントロールユニット１１６によりヘッド２１が駆動されて印刷が実行される。
【００５３】
＜コピー機能時について＞
次に、コピー機能時におけるデータの流れを説明する。スキャナ部１０により読み込まれたデータは、スキャナコントロールユニット１０４を介してラインバッファ１２０に取り込まれる。ラインバッファ１２０に取り込まれた画像データは、ライン間補正処理が順次施された後、スキャナコントロールユニット１０４から２値化処理ユニット１０８へと送出される。
【００５４】
２値化処理ユニット１０８に送り込まれた画像データは、ＡＳＩＣ用ＳＤＲＡＭ１０２内に格納されているルックアップテーブル１３６に基づき、ＣＭＹＫの色毎の２値データに変換されて、インターレース処理ユニット１１０に送り込まれる。
【００５５】
インターレース処理ユニット１１０に送り込まれたＣＭＹＫの２値データは、ＡＳＩＣ側ＳＤＲＡＭ１０２のインターレースバッファ１２４に格納されて、インターレース処理ユニット１１０により、ノズル配列に対応させるべく並び替えられる。そして、インターレース処理ユニット１１０によって並び替えられたデータは、イメージバッファユニット１１２へと送られる。
【００５６】
イメージバッファユニット１１２では、インターレース処理ユニット１１０から送られてきたデータを、プリンタ用のキャリッジ４１の移動毎の各ノズル♯１〜♯１８０にインクを吐出させるためのヘッド駆動データとなるように整列させてイメージバッファ１２６，１２７に記憶する。
【００５７】
イメージバッファ１２６、１２７に記憶された移動毎のヘッド駆動データは、ＣＰＵインターフェイスユニット１１４を介してＣＰＵ９０により読み出されてヘッドコントロールユニット１１６に転送される。ヘッドコントロールユニット１１６は、転送されてきたヘッド駆動データに基づいてヘッド２１を駆動して印刷を実行する。
【００５８】
＝＝＝フィルム読み取り＝＝＝
本実施形態の複合装置１では、スキャナ部１０により、写真用のフィルムから画像を読み取ることができる。図７は、複合装置１により写真用のフィルムから画像を読み取る場合について説明したものである。なお、ここで読み取るフィルムとしては、ネガフィルムであっても良く、またポジフィルムであっても良い。
【００５９】
写真用のフィルムから画像を読み取る場合には、同図に示すように、原稿台カバー１２の内側に設けられた反射板１３を取り外す。ここでは、原稿台カバー１２の内側に装着された反射板１３を同図の矢印Ｃに沿ってスライド移動させて、原稿台カバー１２から反射板１３を取り外す。反射板１３の裏側には、フィルム読み取り用の露光ランプ６７が設けられている。この露光ランプ６７は、原稿台カバー１２の内側に一体的に設けられたもので、反射板１３を原稿台カバー１２から取り外すことにより使用可能となる。
【００６０】
フィルムから画像を読み取るときには、原稿台１１の上にフィルムが載置される。このとき、フィルムは、簡単に原稿台１１上にて位置決めすることができるように、例えば、専用のホルダ等にセットされても良い。フィルムを原稿台１１上に載置した後、原稿台カバー１２を閉じる。そして、ここでは、例えば、操作パネル２のフィルム印刷モードボタン８６やスキャンモードボタン８７等を操作するなどして、読み取り動作を実行する。
【００６１】
図８は、フィルム読み取り時の読み取り動作方法について説明したものである。原稿台カバー１２が閉じられると、同図に示すように、原稿台１１上に載置されたフィルム１８に対向して、原稿台カバー１２の内側の露光ランプ６７が配置される。フィルム読み取り時には、原稿台カバー１２の内側の露光ランプ６７から光が発せられる。つまり、フィルム読み取り時には、スキャナ用キャリッジ６０に設けられた露光ランプ６６ではなく、原稿台カバー１２の内側の露光ランプ６７が使用される。原稿台カバー１２の内側の露光ランプ６７から発せられた光は、原稿台１１上のフィルム１８を透過する。そして、フィルム１８を透過した光がスキャナ用キャリッジ６０のレンズ７０Ｂを介してイメージセンサ７２Ｂに入射する。イメージセンサ７２Ｂは、入射した光を感知することで、原稿台１１上に載置されたフィルム１８から画像を読み取る。
【００６２】
＝＝＝イメージセンサ＝＝＝
図９は、イメージセンサ７２Ａ、７２Ｂの一例について説明したものである。イメージセンサ７２Ａ、７２Ｂは、本実施形態では、スキャナ用キャリッジ６０の内部に設置されている。スキャナ用キャリッジ６０は、同図に示すように、当該スキャナ用キャリッジ６０の移動方向（キャリッジ移動方向）と交差する方向に沿って長く形成されたもので、画像を読み取るときには、キャリッジ移動方向に沿って平行にスライド移動する。スキャナ用キャリッジ６０の上部には、原稿台１１に対向して、イメージセンサ７２Ａに光を入射するためのレンズ７０Ａと、イメージセンサ７２Ｂに光を入射するためのレンズ７０Ｂとが設けられている。レンズ７０Ａには、原稿から反射されてくる光が入射する。また、レンズＢには、原稿としてフィルムを透過してくる光が入射する。これらのレンズ７０Ａ、７０Ｂは、スキャナ用キャリッジ６０の長手方向、即ちキャリッジ移動方向と交差する方向に沿って配置されている。また、スキャナ用キャリッジ６０の上部には、原稿台１１を介して原稿５に対して光を照射する露光ランプ６６が、レンズ７０Ａと平行に設けられている。レンズ７０Ａと露光ランプ６６の長さＬｋ1は、原稿台１１上に載置される原稿の最大サイズの幅寸法に対応して設定されている。また、レンズ７０Ｂの長さＬｋ2は、フィルムの幅寸法（原稿カバー１２の内側のフィルム読み取り用の露光ランプ６７の幅寸法）に対応して設定されている。
【００６３】
スキャナ用キャリッジ６０の内部には、イメージセンサ７２Ａ、７２Ｂが設けられた基板７３が配置されている。イメージセンサ７２Ａ、７２Ｂは、同図に示すように、レンズ７０Ａ、７０Ｂに各々対応して、レンズ７０Ａ、７０Ｂと同様に、スキャナ用キャリッジ６０の長手方向、即ちキャリッジ移動方向と交差する方向に沿って設けられている。イメージセンサ７２Ａの長さ寸法Ｌｓ1は、レンズ７０Ａの長さＬｋ1に対応して設定されている。また、イメージセンサ７２Ｂの長さ寸法Ｌｓ2は、レンズ７０Ｂの長さＬｋ2に対応して設定されている。イメージセンサ７２Ａ、７２Ｂの上面部には、例えば、フォトダイオード等の光電変換素子が長手方向に沿って複数並んで配列されている。
【００６４】
図１０は、レンズ７０Ａとイメージセンサ７２Ａの構成について詳しく説明したものである。レンズ７０Ａは、複数の個別レンズ７１Ａを有している。
【００６５】
なお、レンズ７０Ｂについても同様に複数の個別レンズを有している。そして、各個別レンズ７１Ａに入射した光は、イメージセンサ７２Ｂに設けられた複数のフォトダイオード等の光電変換素子に受光される。
【００６６】
＝＝＝スキャナコントロールユニット＝＝＝
図１１は、スキャナコントロールユニット１０４の構成の一例について説明したものである。スキャナコントロールユニット１０４は、同図に示すように、コントローラ２０２と、モータ制御部２０４と、ランプ制御部２０６と、センサ制御部２０８と、ＡＦＥ（Analog Front End）部２１０と、デジタル処理回路２１６と、データ出力回路２１８とを備えている。さらに、ＡＦＥ部２１０は、アナログ信号処理回路２１２と、Ａ／Ｄ変換回路２１４とを備えている。
【００６７】
コントローラ２０２は、ＣＰＵ９０（図６参照）等からの命令により、モータ制御部２０４やランプ制御部２０６、センサ制御部２０８、ＡＦＥ部２１０、デジタル処理回路２１６、データ出力回路２１８を制御する。モータ制御部２０４は、コントローラからの命令により、スキャナ用キャリッジ６０を移動させるための駆動モータ７７の駆動制御を行う。また、ランプ制御部２０６は、露光ランプ６６の発光を制御する。また、センサ制御部２０８は、イメージセンサ７２Ａ、７２Ｂの制御を行う。なお、このセンサ制御部２０８は、「信号出力部」にも相当する。
【００６８】
また、ＡＦＥ部２１０のアナログ信号処理回路２１２は、イメージセンサ７２Ａ、７２Ｂにより読み取られた画像のアナログ信号に対して信号処理を行う。また、ＡＦＥ部２１０のＡ／Ｄ変換回路２１４は、アナログ信号処理回路２１２により信号処理された画像の信号をデジタル信号へとＡ／Ｄ変換する。
【００６９】
デジタル信号処理回路は２１６は、ＡＦＥ部２１０のＡ／Ｄ変換回路２１４から送られてきたデジタル信号に対してデジタル信号処理を施す。ここでは、具体的にシェーディング補正等の補正処理をはじめ、各種画像処理などが施される。デジタル信号処理が施されたデジタル信号は、原稿から読み取られた画像のデータ（画像データ）としてデータ出力回路２１８により外部へと出力される。ここでは、データ出力回路により出力された画像データは、ＵＳＢインターフェイス１１８を通じてホストコンピュータ１４０に出力されたり、リサイズユニット１０６へと送られたりする（図６参照）。
【００７０】
＝＝＝光電変換素子＝＝＝
図１２は、イメージセンサ７２Ｂに設けられた光電変換素子について説明したものである。本実施形態のイメージセンサ７２Ｂは、光電変換素子として、同図に示すように、ＲＧＢの３色のフォトダイオード３０２Ｒ、３０２Ｂ、３０２Ｇ、即ち、レッド（Ｒ）に対応するフォトダイオード３０２Ｒと、ブルー（Ｂ）に対応するフォトダイオード３０２Ｂと、グリーン（Ｇ）に対応するフォトダイオード３０２Ｇとを有している。
【００７１】
３色のフォトダイオード３０２Ｒ、３０２Ｂ、３０２Ｇは、キャリッジ移動方向に沿って１列に並んで配置されている。これらキャリッジ移動方向に沿って並ぶ３色のフォトダイオード３０２Ｒ、３０２Ｂ、３０２Ｇを１つの単位として、１つの単位の３つのフォトダイオード３０２Ｒ、３０２Ｂ、３０２Ｇが、読み取った画像を構成する１つの画素のデータを生成するようになっている。１つの単位の３色のフォトダイオード３０２Ｒ、３０２Ｂ、３０２Ｇが、キャリッジ移動方向と交差する方向、即ちここでは、イメージセンサ７２Ｂの長手方向に沿って一列に複数並んで配列されて、イメージセンサ７２Ｂが構成されている。
【００７２】
さらに、このイメージセンサ７２Ｂには、これら３色のフォトダイオード３０２Ｒ、３０２Ｂ、３０２Ｇにて発生した電荷を取り出すためのレジスタ３０４と、電荷転送部（ＣＣＤ：charge-coupled device）３０６とが設けられている。レジスタ３０４は、３色のフォトダイオード３０２Ｒ、３０２Ｂ、３０２Ｇにて発生した電荷を電荷転送部３０６に送るために設けられたもので、ＲＧＢ３色共通に使用される。各フォトダイオード３０２Ｒ、３０２Ｂ、３０２Ｇと、レジスタ３０４との間には、第１ゲート３０８Ｒ、３０８Ｂ、３０８Ｇが設けられている。各フォトダイオード３０２Ｒ、３０２Ｂ、３０２Ｇから電荷を取り出すときには、各々対応する第１ゲート３０８Ｒ、３０８Ｂ、３０８Ｇが開放される。また、レジスタ３０４と電荷転送部３０６との間には、第２ゲート３１０が設けられている。レジスタ３０４から電荷転送部３０６へと電荷が送られるときには、第２ゲート３１０が開放される。
【００７３】
３色のフォトダイオード３０２Ｒ、３０２Ｂ、３０２Ｇにて発生した電荷は、この共通のレジスタ３０４を通じて電荷転送部３０６に移動する。電荷転送部３０６は、レジスタ３０４を通じて３色のフォトダイオード３０２Ｒ、３０２Ｂ、３０２Ｇから移動してきた電荷を一時的に蓄積する。なお、電荷転送部３０６は、「電荷蓄積部」に相当する。電荷転送部３０６は、一時的に蓄積した電荷を順次検出回路３１２に転送する。検出回路３１２は、電荷転送部３０６により転送されてきた電荷の電荷量を逐次検出する。そして、検出回路３１２は、電荷の電荷量の検出結果をスキャナコントロールユニット１０４のＡＦＥ部２１０（図１１参照）に向けて出力する。
【００７４】
＝＝＝電荷の移動順序＝＝＝
図１３Ａ〜図１３Ｃは、レッド（Ｒ）、ブルー（Ｂ）、グリーン（Ｇ）の各色のフォトダイオード３０２Ｒ、３０２Ｂ、３０２Ｇにて発生した電荷が移動する順序について説明したものである。図１３Ａは、レッド（Ｒ）のフォトダイオード３０２Ｒにて発生した電荷の移動について説明したものである。図１３Ｂは、ブルー（Ｂ）のフォトダイオード３０２Ｂにて発生した電荷の移動について説明したものである。図１３Ｃは、グリーン（Ｇ）のフォトダイオード３０２Ｇにて発生した電荷の移動について説明したものである。
【００７５】
ここでは、まず、図１３Ａに示すように、レッド（Ｒ）のフォトダイオード３０２Ｒにて発生した電荷を電荷転送部３０６に移動させる。レッド（Ｒ）のフォトダイオード３０２Ｒにて発生した電荷を電荷転送部３０６に移動させるために、レッド（Ｒ）のフォトダイオード３０２Ｒに対応する第１ゲート３０８Ｒと、第２ゲート３１０とが開放される（図中グレーで示した部分）。なお、このとき、ブルー（Ｂ）のフォトダイオード３０２Ｂおよびグリーン（Ｇ）のフォトダイオード３０２Ｇに対応する第１ゲート３０８Ｂ、３０８Ｇは閉じている。これにより、レッド（Ｒ）のフォトダイオード３０２Ｒにて発生した電荷が電荷転送部３０６に移動する。
【００７６】
次に、図１３Ｂに示すように、ブルー（Ｂ）のフォトダイオード３０２Ｂにて発生した電荷を電荷転送部３０６に移動させる。ブルー（Ｂ）のフォトダイオード３０２Ｂにて発生した電荷を電荷転送部３０６に移動させるために、ブルー（Ｂ）のフォトダイオード３０２Ｂに対応する第１ゲート３０８Ｂと、第２ゲート３１０とが開放される（図中グレーで示した部分）。なお、このとき、レッド（Ｒ）のフォトダイオード３０２Ｒおよびグリーン（Ｇ）のフォトダイオード３０２Ｇに対応する第１ゲート３０８Ｒ、３０８Ｇは閉じている。このように第１ゲート３０８Ｂおよび第２ゲート３１０が開放されることで、ブルー（Ｂ）のフォトダイオード３０２Ｂにて発生した電荷が電荷転送部３０６に移動する。これにより、ブルー（Ｂ）のフォトダイオード３０２Ｂにて発生した電荷が電荷転送部３０６に移動する。
【００７７】
さらに、図１３Ｃに示すように、グリーン（Ｇ）のフォトダイオード３０２Ｇにて発生した電荷を電荷転送部３０６に移動させる。グリーン（Ｇ）のフォトダイオード３０２Ｇにて発生した電荷を電荷転送部３０６に移動させるために、グリーン（Ｇ）のフォトダイオード３０２Ｇに対応する第１ゲート３０８Ｇと、第２ゲート３１０とが開放される（図中グレーで示した部分）。なお、このとき、レッド（Ｒ）のフォトダイオード３０２Ｒおよびブルー（Ｂ）のフォトダイオード３０２Ｂに対応する第１ゲート３０８Ｒ、３０８Ｂは閉じている。このように第１ゲート３０８Ｇおよび第２ゲート３１０が開放されることで、グリーン（Ｇ）のフォトダイオード３０２Ｇにて発生した電荷が電荷転送部３０６に移動する。これにより、グリーン（Ｇ）のフォトダイオード３０２Ｇにて発生した電荷が電荷転送部３０６に移動する。
【００７８】
＝＝＝電荷の移動方法＝＝＝
次に、各フォトダイオード３０２Ｒ、３０２Ｂ、３０２Ｇにて発生した電荷を電荷転送部３０６まで移動させる方法について説明する。ここでは、レッド（Ｒ）のフォトダイオード３０２Ｒにて発生した電荷を電荷転送部３０６に移動させる場合を例にして説明する。
【００７９】
図１４Ａ〜図１４Ｄは、レッド（Ｒ）のフォトダイオード３０２Ｒにて発生した電荷の移動方法について概略的に説明した断面図である。図１４Ａは、フォトダイオード３０２Ｒにて電荷が発生したときの様子を示したものである。図１４Ｂは、フォトダイオード３０２Ｒにて発生した電荷が電荷転送部３０６に移動したときの様子を示したものである。図１４Ｃおよび図１４Ｄは、フォトダイオード３０２Ｒにて発生した電荷が電荷転送部３０６に移動した後の様子を示したものである。
【００８０】
フォトダイオード３０２Ｒ、第１ゲート３０８Ｒ、レジスタ３０４、第２ゲート３１０および電荷転送部３０６は、図１４Ａに示すように、半導体基板３１４上に形成される。ここで、フォトダイオード３０２Ｒは、同図に示すように、半導体基板３１４上にｐｎ接合により形成される。このフォトダイオード３０２Ｒに外部から光が当たると、その受けた光の量に応じて、ｐｎ接合により形成されたポテンシャル井戸３２０に電荷が発生して蓄積される。
【００８１】
また、第１ゲート３０８Ｒ、レジスタ３０４、第２ゲート３１０および電荷転送部３０６は、半導体基板３１４上に設けられた各電極部３１６Ａ、３１６Ｂ、３１６Ｃ、３１６Ｄによって形成される。すなわち、各電極部３１６Ａ、３１６Ｂ、３１６Ｃ、３１６Ｄは、それぞれ第１ゲート３０８Ｒ、レジスタ３０４、第２ゲート３１０および電荷転送部３０６の位置に各々対応して形成されている。各電極部３１６Ａ、３１６Ｂ、３１６Ｃ、３１６Ｄにそれぞれ電圧が印加されることで、各電極部３１６Ａ、３１６Ｂ、３１６Ｃ、３１６Ｄの下側の半導体基板３１４内に空乏層が形成される。そして、この空乏層によって、同図に示すように、それぞれポテンシャル井戸３２２、３２４、３２６、３２８が形成され、これらポテンシャル井戸３２２、３２４、３２６、３２８がそれぞれ第１ゲート３０８Ｒ、レジスタ３０４、第２ゲート３１０および電荷転送部３０６となる。
【００８２】
フォトダイオード３０２Ｒのポテンシャル井戸３２０に蓄積した電荷を電荷転送部３０６に移動させる場合には、各電極部３１６Ａ、３１６Ｂ、３１６Ｃ、３１６Ｄに高い電圧を印加して、図１４Ｂに示すように、第１ゲート３０８Ｒ、レジスタ３０４、第２ゲート３１０および電荷転送部３０６の各ポテンシャル井戸３２２、３２４、３２６、３２８の電位を高くする。これにより、第１ゲート３０８Ｒおよび第２ゲート３１０が開放される。ここで、第１ゲート３０８Ｒ、レジスタ３０４、第２ゲート３１０および電荷転送部３０６の各ポテンシャル井戸３２２、３２４、３２６、３２８の電位については、第１ゲート３０８Ｒから電荷転送部３０６にかけて徐々に高くなるように設定される。すなわち、レジスタ３０４のポテンシャル井戸３２４は、第１ゲート３０８Ｒのポテンシャル井戸３２２よりも高い電位に設定され、第２ゲート３１０のポテンシャル井戸３２６は、レジスタ３０４のポテンシャル井戸３２４よりも高い電位に設定され、電荷転送部３０６のポテンシャル井戸３２８は、第２ゲート３１０のポテンシャル井戸３２６よりも高い電位に設定される。各電極部３１６Ａ、３１６Ｂ、３１６Ｃ、３１６Ｄに対する高い電圧の印加は、所定時間行われる。この間に、フォトダイオード３０２Ｒのポテンシャル井戸３２０に蓄積されていた電荷は、フォトダイオード３０２Ｒから第１ゲート３０８Ｒ、レジスタ３０４および第２ゲート３１０を経由して、電荷転送部３０６へと移動する。
【００８３】
このようにしてフォトダイオード３０２Ｒの電荷が電荷転送部３０６に移動した後、次に、図１４Ｃに示すように、開放された第１ゲート３０８Ｒを閉じる。ここでは、第１ゲート３０８Ｒに対応する電極部３１６Ａに低い電圧を印加して、第１ゲート３０８Ｒのポテンシャル井戸３２２の電位を下げて、第１ゲート３０８Ｒを閉じる。また、ここでは、レジスタ３０４に対応する電極部３１６Ｂに対しても低い電圧を印加して、レジスタ３０４のポテンシャル井戸３２４の電位を下げる。
【００８４】
その後、図１４Ｄに示すように、第２ゲート３１０に対応する電極部３１６Ｃに低い電圧を印加して、第２ゲート３１０のポテンシャル井戸３２６の電位を下げて、第２ゲート３１０を閉じる。また、電荷転送部３０６に対応する電極部３１６Ｄに対しても低い電圧を印加して、電荷転送部３０６のポテンシャル井戸３２８の電位を下げる。
【００８５】
これにより、フォトダイオード３０２Ｒにて発生した電荷を電荷転送部３０６へと移動させる処理が完了する。電荷転送部３０６へと移動した電荷は、検出回路３１２に転送される。そして、検出回路３１２によりその電荷量が検出される。
【００８６】
＝＝＝従来の問題点＝＝＝
このようなイメージセンサ７２Ｂにあっては、次のような不具合が発生することがある。その不具合とは、フォトダイオード３０２Ｒ、３０２Ｂ、３０２Ｇに発生した電荷を電荷転送部３０６に移動させる際に、電荷の一部がフォトダイオード３０２Ｒ、３０２Ｂ、３０２Ｇに残留してしまうことである。この不具合についてはリニアリティ不良とも呼ばれている。
【００８７】
図１５は、この不具合について説明したものである。すなわち、この不具合は、同図に示すように、例えば、フォトダイオード３０２Ｒにて発生した電荷を電荷転送部３０６へと移動させる際に、フォトダイオード３０２Ｒのポテンシャル井戸３２０内の電荷が全て電荷転送部３０６に移動するのではなく、一部の電荷が残留電荷としてフォトダイオード３０２Ｒのポテンシャル井戸３２０に残留してしまうのである。また、一部の電荷が電荷転送部３０６へと移動中にレジスタ３０４のポテンシャル井戸３２４に残留してしまうのである。
【００８８】
特に、このような残留電荷は、本実施形態のイメージセンサ７２Ｂの場合、レッド（Ｒ）のフォトダイオード３０２Ｒにて発生した電荷を電荷転送部３０６に移動させる場合に発生することが多かった。これは、レッド（Ｒ）のフォトダイオード３０２Ｒにて発生した電荷を電荷転送部３０６に移動させる際に、電荷の移動距離が他のフォトダイオード、即ちブルー（Ｂ）のフォトダイオード３０２Ｂやグリーン（Ｇ）のフォトダイオード３０２Ｇの場合に比べて長いことが原因であると推測される。他のフォトダイオード３０２Ｂ、３０２Ｇに比べて電荷の移動距離が長いことによって、残留電荷が発生し易くなっている。
【００８９】
このような残留電荷が発生した場合、フォトダイオード３０２Ｒにて発生した電荷の電荷量を検出回路３１２にて的確に検出することができず、これにより、読み取った画像に、例えば、縦スジ等の不具合が発生するなどの悪影響が生じることがある。
【００９０】
特に、本実施形態のイメージセンサ７２Ａのように、原稿から反射された光を受光するような場合には、十分な光量があり、前述したリニアリティ不良が発生しても大きな影響を受けずに済む。しかしながら、フィルム等から画像を読み取る場合、フィルム等を透過してくる光を受光するため、原稿から反射された光を読み取る場合に比べて光量が少なく、このため、前述したリニアリティ不良の影響を大きく受けてしまう。
【００９１】
このため、イメージセンサ７２Ｂのような、フィルムから透過してくる光を受光するイメージセンサについては、残留電荷が発生するフォトダイオード３０２Ｒ、３０２Ｂ、３０２Ｇ（光電変換素子）を検査により的確に検出する必要がある。しかしながら、このような残留電荷が発生するフォトダイオード（リニアリティ不良素子）を簡単に検出することができる検査方法については、従来提案されていなかった。
【００９２】
＝＝＝検査方法＝＝＝
本実施形態では、イメージセンサ７２Ｂに設けられたフォトダイオード３０２Ｒ、３０２Ｂ、３０２Ｇ（光電変換素子）がリニアリティ不良か否かを簡単に判別するために、次の様な検査方法を実施する。
【００９３】
この検査方法では、フォトダイオード３０２Ｒ、３０２Ｂ、３０２Ｇにて発生した電荷を電荷転送部３０６に移動させる際に、実際に原稿から画像を読み取る場合に比べて、第１ゲート３０８Ｒおよび第２ゲート３１０の開放時間を短くする。このように第１ゲート３０８Ｒ、３０８Ｂ、３０８Ｇおよび第２ゲート３１０の開放時間を短くすることで、フォトダイオード３０２Ｒ、３０２Ｂ、３０２Ｇから電荷転送部３０６への電荷の移動をし難くする。このような電荷の移動をし難くすることで、フォトダイオード３０２Ｒにリニアリティ不良が発生しているか否か明確にする。すなわち、フォトダイオード３０２Ｒ、３０２Ｂ、３０２Ｇから電荷転送部３０６への電荷の移動をし難くすることで、電荷転送部３０６に移動する電荷の電荷量が減る。これが検出回路３１２により検出されるため、フォトダイオード３０２Ｒ、３０２Ｂ、３０２Ｇにリニアリティ不良が発生しているか否かを簡単に判別することができる。
【００９４】
第１ゲート３０８Ｒ、３０８Ｂ、３０８Ｇおよび第２ゲート３１０の開放時間を短くする場合には、これら第１ゲート３０８Ｒ、３０８Ｂ、３０８Ｇおよび第２ゲート３１０に対応する電極部３１６Ａ、３１６Ｄに高い電圧を印加する時間を短くする。
【００９５】
図１６は、画像読み取り時および検査時に電極部３１６Ａ、３１６Ｄに高い電圧を印加するための信号の一例を示したものである。図１６中の上段は、画像読み取り時に電極部３１６Ａ、３１６Ｄに高い電圧を印加するための信号の一例を示したものである。図１６中の下段は、検査時に電極部３１６Ａ、３１６Ｄに高い電圧を印加するための信号の一例を示したものである。
【００９６】
画像読み取り時には、図１６中の上段に示すように、電極部に所定時間Ｔａだけ高い電圧を印加するためのパルスを有する信号が出力される。なお、ここで出力される信号は、「第１制御信号」に相当する。一方、検査時には、図１６中の下段に示すように、電極部に所定時間Ｔｂだけ高い電圧を印加するためのパルスを有する信号が出力される。なお、ここで出力される信号は、「第２制御信号」に相当する。ここで、検査時の所定時間Ｔｂは、画像読み取り時の所定時間Ｔａに比べて短く設定される。具体的には、例えば、画像読み取り時の所定時間Ｔａが４８８μｓであった場合に、検査時の所定時間Ｔｂは、約半分の２５０μｓほどに設定される。
【００９７】
なお、ここで、検査時の所定時間Ｔｂは、画像読み取り時の所定時間Ｔａに比べて短ければ良く、例えば、画像読み取り時の所定時間Ｔａが４８８μｓであった場合、検査時の所定時間Ｔｂは、４００μｓや３００μｓ、２００μｓであっても良い。
【００９８】
このように第１ゲート３０８Ｒ、３０８Ｂ、３０８Ｇおよび第２ゲート３１０に対応する電極部３１６Ａ、３１６Ｄに高い電圧を印加する時間を短くすることで、第１ゲート３０８Ｒ、３０８Ｂ、３０８Ｇおよび第２ゲート３１０の開放時間を短くすることができる。なお、第１ゲート３０８Ｒ、３０８Ｂ、３０８Ｇおよび第２ゲート３１０の開放時間は、同じである必要はない。つまり、第１ゲート３０８Ｒ、３０８Ｂ、３０８Ｇを第２ゲート３１０に比べて早く閉じる場合等により、第１ゲート３０８Ｒ、３０８Ｂ、３０８Ｇの開放時間と、第２ゲート３１０の開放時間とが異なるように設定されていても良い。また、本実施形態では、レジスタ３０４に対応する電極部３１６Ｂに高い電圧を印加する時間についても同様に、実際に原稿から画像を読み取る場合に比べて短くする。
【００９９】
＝＝＝検査手順＝＝＝
図１７は、検査手順の一例について説明したフローチャートである。ここでは、まず、検査対象となる光電変換素子（ここでは、フォトダイオード３０２Ｒ、３０２Ｂ、３０２Ｇ）に対して光を当てて、検査対象となる光電変換素子にて電荷を発生させる（Ｓ２０２）。次に、これにより光電変換素子（フォトダイオード３０２Ｒ、３０２Ｂ、３０２Ｇ）にて発生した電荷を電荷蓄積部（ここでは、電荷転送部３０６）へと移動させる（Ｓ２０４）。このとき、本実施形態では、光電変換素子（フォトダイオード３０２Ｒ、３０２Ｂ、３０２Ｇ）に発生した電荷を電荷蓄積部（電荷転送部３０６）に移動させるために、第１ゲート３０８Ｒ、３０８Ｂ、３０８Ｇおよび第２ゲート３１０が開放される。そして、第１ゲート３０８Ｒ、３０８Ｂ、３０８Ｇおよび第２ゲート３１０の開放時間は、実際に原稿から画像を読み取る場合に比べて短く設定される。
【０１００】
次に、このように短い開放時間にて電荷蓄積部（電荷転送部３０６）に移動した電荷の電荷量を検出回路３１２等により検出する（Ｓ２０６）。そして、検出した電荷の電荷量と所定値とを比較する（Ｓ２０８）。その結果、検出した電荷の電荷量が所定値以下であった場合には、その光電変換素子（フォトダイオード３０２Ｒ、３０２Ｂ、３０２Ｇ）についてリニアリティ不良であると判定する（Ｓ２１０）。一方、検出した電荷の電荷量が所定値以下ではなかった場合、即ち検出した電荷の電荷量が所定値を上回った場合には、その光電変換素子（フォトダイオード３０２Ｒ、３０２Ｂ、３０２Ｇ）についてリニアリティ不良ではないと判定する（Ｓ２１２）。このようにして検査対象となる光電変換素子（フォトダイオード３０２Ｒ、３０２Ｂ、３０２Ｇ）がリニアリティ不良か否かを判定する。判定後は、速やかに処理を終了する。
【０１０１】
なお、ここでは、ＲＧＢの各色のフォトダイオード３０２Ｒ、３０２Ｂ、３０２Ｇに対してそれぞれ検査を行ったが、リニアリティ不良が発生し易いレッド（Ｒ）のフォトダイオード３０２Ｒについてのみ検査を行うようにしても良い。また、リニアリティ不良が発生し易いフォトダイオードがレッド（Ｒ）以外の他のフォトダイオード、即ち、ここでは、ブルー（Ｂ）のフォトダイオード３０２Ｂやグリーン（Ｇ）のフォトダイオード３０２Ｒである場合には、これらのフォトダイオード３０２Ｂ、３０２Ｇについてのみ検査を行うようにしても良い。
【０１０２】
複合装置１のメモリ９２等に記憶されたプログラムは、このような検査を実施するために、検査対象となる光電変換素子（ここでは、フォトダイオード３０２Ｒ、３０２Ｂ、３０２Ｇ）に対して光を当てるステップと、光電変換素子（フォトダイオード３０２Ｒ、３０２Ｂ、３０２Ｇ）にて発生した電荷を電荷蓄積部（ここでは、電荷転送部３０６）へと移動させるために、第１ゲート３０８Ｒ、３０８Ｂ、３０８Ｇおよび第２ゲート３１０を、原稿から画像を読み取る場合に比べて短い時間だけ開放するステップと、電荷蓄積部（電荷転送部３０６）に移動した電荷の電荷量を検出回路３１２等により検出するステップと、検査対象となる光電変換素子（フォトダイオード３０２Ｒ、３０２Ｂ、３０２Ｇ）がリニアリティ不良か否かを判定するステップとを実行するためのコードを有している。さらに、このプログラムは、判定結果に関する情報を適宜な記憶部に記憶するステップや、判定結果を外部に伝達するステップを実行するためのコードを有していても良い。
【０１０３】
＝＝＝実際の検査＝＝＝
次に、実際の検査方法についてその一例を用いて具体的に説明する。  
図１８Ａおよび図１８Ｂは、実際の検査方法の一例について説明したものである。実際に検査を行う場合には、イメージセンサ７２Ｂに設けられた光電変換素子、即ちフォトダイオード３０２Ｒ、３０２Ｂ、３０２Ｇについて同時に行う。ここで、イメージセンサ７２Ｂには、レッド（Ｒ）、ブルー（Ｂ）およびグリーン（Ｇ）に各々対応するフォトダイオード３０２Ｒ、３０２Ｂ、３０２Ｇを１画素分のフォトダイオードとして、２５７６画素分のフォトダイオードがイメージセンサ７２Ｂの長手方向に沿って一列に並んで配列されて設けられているとする。
【０１０４】
実際にこれらの光電変換素子について検査を行う場合には、所定の光量の光を照射して、図１８Ａに示すように、２５７６画素分のフォトダイオードについてそれぞれ、例えば、１２０ライン分の画素を読み込んで、１２０個分のサンプル値を取得して検査を行う。そして、得られた１２０個のサンプルデータについて各画素の光電変換素子（フォトダイオード）毎にそれぞれ平均値を求める。それから、図１８Ｂに示すように、求めた平均値と所定のしきい値Ｖｋとを光電変換素子（フォトダイオード）毎にそれぞれ比較して、求めた平均値が所定のしきい値Ｖｋ以下か否かをチェックする。リニアリティ不良が発生した光電変換素子（フォトダイオード）の場合には、同図に示すように、平均値が所定のしきい値Ｖｋ以下となる。一方、リニアリティ不良が発生していない光電変換素子（フォトダイオード）の場合には、同図に示すように、平均値が所定のしきい値Ｖｋを上回り、例えば、所定の値Ｖ0等になる。このことから、光電変換素子（フォトダイオード）についてリニアリティ不良が発生したか否かを簡単に検査することができる。
【０１０５】
＜リニアリティ特性＞
図１９Ａは、リニアリティ不良が発生していない光電変換素子（ここでは、フォトダイオード）のリニアリティ特性の一例について説明したものである。図１９Ｂは、リニアリティ不良が発生した光電変換素子（フォトダイオード）のリニアリティ特性の一例について説明したものである。
【０１０６】
リニアリティ不良が発生していない場合には、図１９Ａに示すように、光電変換素子（フォトダイオード）が受ける光量の増加に従ってその光量に比例して、検出出力（検出電荷量）が増大する。さらに、出力（検出電荷量）に対してシェーディング補正を行った場合には、同図に示すように、出力（検出電荷量）に対して所定の係数が乗算されて、リニアリティ特性が補正される。
【０１０７】
一方、リニアリティ不良が発生した場合には、図１９Ｂに示すように、光電変換素子（フォトダイオード）が受ける光量が増加しても一定の光量に達しない限り、出力（検出電荷量）は出てこない。これは、光電変換素子（フォトダイオード）にて電荷が電荷蓄積部（電荷転送部３０６）に移動せずに、そのまま光電変換素子（フォトダイオード）に残留しているためである。受ける光量が一定の光量に達した場合であっても、一部の電荷がそのまま光電変換素子（フォトダイオード）に残留してしまうため、直線的な特性を得ることはできない。なお、ここで、一定の光量としては、例えば、光電変換素子（フォトダイオード）の最大検出光量を１００％とした場合に、約１〜５％ほどである。
【０１０８】
さらに、出力（検出電荷量）に対してシェーディング補正を行って出力（検出電荷量）に対し所定の係数を乗算しても、受ける光量が一定の光量に達しない限り、出力（検出電荷量）は出てこないことから、直線的な特性を得ることはできない。
【０１０９】
光電変換素子（フォトダイオード）が正常な場合のシェーディング補正後のリニアリティ特性と比較すると、光量が約１〜５％ほどのところで、最大誤差ΔＶmaxが発生していることを確認することができる。
【０１１０】
このようなことから、実際に検査を行うときに、光電変換素子（フォトダイオード）の最大検出光量を１００％とした場合に、光量を約１〜５％に設定して前述した検査を実施することで、光電変換素子（フォトダイオード）がリニアリティ不良なのか否かをより的確に判定することができ、好ましい。
【０１１１】
＜検査方法＞
実際の検査では、光電変換素子（フォトダイオード）に入射される光の光量を約１〜５％ほどに調整するために、光の透過率が約１〜５％ほどの所定の透過率の透光フィルムを用いる。具体的には、本実施形態の複合装置１の原稿台１１上に原稿の代わりにその透光フィルムをセットする。その後、原稿台カバー１２を閉じて、原稿台カバー１２の内側の露光ランプ６７から光を発する。そして、原稿台カバー１２の内側の露光ランプ６７から発せられて透光フィルムを透過してスキャナ用キャリッジ６０のレンズ７０に入射した光を、イメージセンサ７２Ｂにより検出する。その検出結果に基づき、光電変換素子（フォトダイオード）にリニアリティ不良が発生していないどうかチェックする。これにより、簡単に約１〜５％の光量にて光電変換素子（フォトダイオード）の検査を実施することができる。
【０１１２】
＝＝＝リニアリティ不良の対応方法＝＝＝
このような検査において、光電変換素子（フォトダイオード）がリニアリティ不良であると判定された場合、その光電変換素子（フォトダイオード）がどの光電変換素子なのか位置等を特定するための情報を不揮発メモリ等の記憶部に記憶すると好ましい。例えば、本実施形態の複合装置１では、その情報をメモリ９２等に記憶すると好ましい。
【０１１３】
このような情報を不揮発メモリ等に記憶しておくことで、イメージセンサ７２Ｂにより原稿から画像を読み取ったとき、読み取った画像のデータに対して補完処理を施すことができる。つまり、リニアリティ不良と判定された光電変換素子（フォトダイオード）により読み込まれた画素のデータについては、周辺の画素のデータ等により補正することで、適正な画像を得ることができる。この補完処理については、本実施形態では、例えば、スキャナコントロールユニット１０４のデジタル処理回路２１６等により行うと良い。
【０１１４】
なお、もちろん、光電変換素子（フォトダイオード）がリニアリティ不良と判定された場合には、他の対応方法により実施されても良い。
【０１１５】
＝＝＝検査タイミング＝＝＝
光電変換素子（フォトダイオード）にリニアリティ不良がないかどうかを検査するタイミングとしては、次のようなタイミングがある。
【０１１６】
（１）製品出荷前
製造後、製品として出荷する前にリニアリティ不良がないかどうかを検査する。このような検査を行うことで、イメージセンサ７２Ｂ等にリニアリティ不良のある光電変換素子が見つかっても、これに対応した状態にて製品として出荷することができる。
【０１１７】
（２）製品出荷後
製品として出荷された後、メンテナンス等においてリニアリティ不良がないかどうかを検査する。このような検査を行うことで、製品として出荷された後、後発的な理由により光電変換素子にリニアリティ不良が発生してもこれを検出して対応することが可能となる。
【０１１８】
なお、実際に、光電変換素子（フォトダイオード）に対してリニアリティ不良がないかどうかを検査するタイミングとしては、これら（１）および（２）以外の他のタイミングにて実施されても良い。
【０１１９】
＝＝＝まとめ＝＝＝
本実施形態では、光電変換素子（ここでは、フォトダイオード３０２Ｒ、３０２Ｂ、３０２Ｇ）にて発生した電荷を電荷蓄積部（ここでは、電荷転送部３０６）に移動させる際に、実際に原稿から画像を読み取る場合に比べて、ゲート（ここでは、第１ゲート３０８Ｒおよび第２ゲート３１０）の開放時間を短くすることで、光電変換素子（フォトダイオード３０２Ｒ、３０２Ｂ、３０２Ｇ）にリニアリティ不良が発生しているか否かを簡単に判別することができる。
【０１２０】
ここで、同一の光電変換素子（フォトダイオード３０２Ｒ、３０２Ｂ、３０２Ｇ）について複数回（ここでは、１２０回）にわたり検査を実施して、複数個のサンプルデータを取得して、これらのサンプルデータから平均値を求めて、所定値Ｖｋと比較することで、より的確に光電変換素子にリニアリティ不良が発生していなかどうかチェックすることができる。
【０１２１】
また、リニアリティ不良であると判定された光電変換素子（フォトダイオード）に関する情報を不揮発メモリ等に記憶すれば、イメージセンサ７２Ｂにより原稿から画像を読み取ったとき、読み取った画像のデータに対して補完処理を施すことができる。これにより、適正な画像を得ることができる。
【０１２２】
＝＝＝その他の実施の形態＝＝＝
以上、一実施形態に基づき、本発明について複合装置を例にして説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に含まれるものである。
【０１２３】
＜光電変換素子について＞
前述した実施の形態では、「光電変換素子」としてフォトダイオード３０２Ｒ、３０２Ｂ、３０２Ｇが用いられていたが、ここでいう「光電変換素子」としては、このようなフォトダイオード３０２Ｒ、３０２Ｂ、３０２Ｇに限らない。つまり、光電効果により電荷が発生するような素子であれば、どのようなタイプの素子であっても構わない。
【０１２４】
また、前述した実施の形態では、「光電変換素子」として、レッド（Ｒ）のフォトダイオード３０２Ｒと、ブルー（Ｂ）のフォトダイオード３０２Ｂと、グリーン（Ｇ）のフォトダイオード３０２Ｇとの３色のフォトダイオードが用いられていたが、ここでいう「光電変換素子」としては、必ずしも３色のフォトダイオード３０２Ｒ、３０２Ｂ、３０２Ｇを用いる必要はない。つまり、「光電変換素子」であれば、必ずしもレッド（Ｒ）、ブルー（Ｂ）およびグリーン（Ｇ）の３色に対応する必要はなく、モノクロに対応するフォトダイオードが用いられても良い。
【０１２５】
＜電荷蓄積部について＞
前述した実施の形態では、「電荷蓄積部」として、電荷転送部３０６の場合を例にして説明したが、ここでいう「電荷蓄積部」にあっては、このような電荷転送部３０６の場合に限らず、光電変換素子により発生した電荷が移動して蓄積されるのであれば、「電荷蓄積部」に該当する。
【０１２６】
また、前述した実施の形態では、レッド（Ｒ）のフォトダイオード３０２Ｒ、ブルー（Ｂ）のフォトダイオード３０２Ｂおよびグリーン（Ｇ）のフォトダイオード３０２Ｇの３色のフォトダイオードにてそれぞれ発生した電荷が同一の「電荷蓄積部」（電荷転送部３０６）に共通して移動するようになっていたが、「電荷蓄積部」（電荷転送部３０６）にあっては必ずしもこのような場合に限らない。つまり、３色のフォトダイオードにつきそれぞれ別々に個別の「電荷蓄積部」（電荷転送部３０６）が設けられても良い。
【０１２７】
＜ゲートについて＞
前述した実施の形態では、「ゲート」として、半導体基板３１４上にポテンシャル井戸３２２、３２６として第１ゲート３０８Ｒ、３０８Ｂ、３０８Ｇおよび第２ゲート３１０が設けられていたが、ここでいう「ゲート」にあっては、このような第１ゲート３０８Ｒ、３０８Ｂ、３０８Ｇおよび第２ゲート３１０の場合には限らない。すなわち、「ゲート」については、このように第１ゲート３０８Ｒ、３０８Ｂ、３０８Ｇおよび第２ゲート３１０の２つのゲートが必ずしも設けられている必要はなく、光電変換素子と電荷蓄積部との間に設けられる「ゲート」は１つであっても良い。また、「ゲート」については３つ以上設けられても良い。
【０１２８】
また、ここでいう「ゲート」については、必ずしも半導体基板３１４上にポテンシャル井戸３２２、３２６として形成される必要はなく、光電変換素子と電荷蓄積部との間に設けられ、光電変換素子から電荷蓄積部への電荷の移動の可否を制御することができれば、どのようなタイプの「ゲート」であっても構わない。
【０１２９】
＜不良について＞
前述した実施の形態では、光電変換素子についてリニアリティ不良か否かを調べる検査を行っていたが、光電変換素子と電荷蓄積部との間に設けられたゲートを、画像を読み取る動作を実行する場合に比べて短い時間だけ開放することにより調べられる不良であれば、光電変換素子に発生する他の種類の不良について検査するようにしても良い。
【０１３０】
＜イメージセンサについて＞
前述した実施の形態では、イメージセンサとして、光電変換素子（フォトダイオード３０２Ｒ、３０２Ｂ、３０２Ｇ）が所定の方向に沿って１列に直線上に並んで配置されたイメージセンサ７２Ａ、７２Ｂを例にして説明したが、ここでいう「イメージセンサ」にあっては、必ずしもこのようなイメージセンサ７２には限られない。
【図面の簡単な説明】
【０１３１】
【図１】複合装置の一例を説明する斜視図。
【図２】複合装置のスキャナ部のカバーを開いたときの斜視図。
【図３】複合装置の印刷部を示す斜視図。
【図４】複合装置のスキャナ部及びプリンタ部の構成を説明する説明図。
【図５】複合装置の操作パネルを説明する説明図。
【図６】複合装置の制御部のシステム構成の一例の説明図。
【図７】フィルムから画像を読み取る場合の説明図。
【図８】フィルム読み取り時の読み取り動作の説明図。
【図９】イメージセンサの一例の説明図。
【図１０】スキャナ用キャリッジの内部構成の一例の説明図。
【図１１】スキャナコントロールユニットの構成の一例の説明図。
【図１２】イメージセンサに設けられた光電変換素子の構成の説明図。
【図１３Ａ】レッド（Ｒ）のフォトダイオードの電荷の移動の説明図。
【図１３Ｂ】ブルー（Ｂ）のフォトダイオードの電荷の移動の説明図。
【図１３Ｃ】グリーン（Ｇ）のフォトダイオードの電荷の移動の説明図。
【図１４Ａ】フォトダイオード（光電変換素子）の電荷発生時の説明図。
【図１４Ｂ】電荷が電荷蓄積部（電荷転送部）に移動したときの説明図。
【図１４Ｃ】ゲートを閉じたときの説明図。
【図１４Ｄ】ゲートを閉じたときの説明図。
【図１５】従来の問題点の説明図。
【図１６】本実施形態の検査方法の説明図。
【図１７】本実施形態の検査手順の一例の説明図。
【図１８Ａ】実際の検査方法の説明図。
【図１８Ｂ】実際の検査方法の説明図。
【図１９Ａ】リニアリティ不良が発生していない場合のリニアリティ特性の一例の説明図。
【図１９Ｂ】リニアリティ不良が発生した場合のリニアリティ特性の一例の説明図。
【符号の説明】
【０１３２】
１  複合装置、２  操作パネル、３  排紙部、４  給紙部、５  原稿、
７  排紙トレイ、８  給紙トレイ、１０  スキャナ部、１１  原稿台、
１２  原稿台カバー、１３  反射板、１４  プラテン、１５  搬送モータ、
１７Ａ  搬送ローラ、１８  フィルム、２１  ヘッド、２４  駆動機構、
３０  プリンタ部、３２  開口部、３４  ヒンジ部、３６  搬送機構、
４１  キャリッジ、４２  キャリッジモータ、４４  プーリ、
４５  タイミングベルト、４６  ガイドレール、５０  制御部、
５１  リニア式エンコーダ符号板、５２  検出部、５３  紙検知センサ、
５６  ロータリ式エンコーダ、６０  スキャナ用キャリッジ、６２  駆動機構、
６４  ガイド、６６  露光ランプ、６７  露光ランプ、
７０Ａ  レンズ、７０Ｂ  レンズ、７１Ａ  個別レンズ、７２Ａ  イメージセンサ、
７２Ｂ  イメージセンサ、７３  基板、７４  タイミングベルト、７５  プーリ、
７６  プーリ、７７  駆動モータ、８０  液晶ディスプレイ、８１  報知ランプ、
８２  電源ボタン、８３  各種設定ボタン、８４  コピーモードボタン、
８５  メモリカード印刷モードボタン、８６  フィルム印刷モードボタン、
８７  スキャンモードボタン、８８  給排紙ボタン、
８９Ａ  ＯＫボタン、８９Ｂ  キャンセルボタン、８９Ｃ  保存ボタン、
８９Ｄ  カラーコピーボタン、８９Ｅ  モノクロコピーボタン、
８９Ｆ  ストップボタン、８９Ｇ  十字ボタン、８９Ｈ  メニューボタン、
９０  ＣＰＵ、９２  メモリ、９４  制御ＡＳＩＣ、９６  ＳＤＲＡＭ、
９８  ＣＰＵバス、１０２  ＡＳＩＣ用ＳＤＲＡＭ、
１０４  スキャナコントロールユニット、１０６  リサイズユニット、
１０８  ２値化処理ユニット、１１０  インターレース処理ユニット、
１１２  イメージバッファユニット、１１４  ＣＰＵインターフェイスユニット、
１１６  ヘッドコントロールユニット、１１８  ＵＳＢインターフェイス、
１２０  ラインバッファ、１２２  リサイズバッファ、
１２４  インターレースバッファ、１２６  イメージバッファ、
１２７  イメージバッファ、１２８  ローカルバス、１３２  イメージバッファ、
１３３  イメージバッファ、１３４  イメージバッファ、
１３６  ルックアップテーブル、１４０  ホストコンピュータ、
２０２  コントローラ、２０４  モータ制御部、２０６  ランプ制御部、
２０８  センサ制御部、２１０  ＡＦＥ部、２１２  アナログ信号処理回路、
２１４  Ａ／Ｄ変換回路、２１６  デジタル処理回路、２１８  データ出力回路、
３０２Ｒ  フォトダイオード、３０２Ｂ  フォトダイオード、
３０２Ｇ  フォトダイオード、３０４  レジスタ、３０６  電荷転送部、
３０８Ｒ  第１ゲート、３０８Ｂ  第１ゲート、３０８Ｇ  第１ゲート、
３１０  第２ゲート、３１２  検出回路、３１４  半導体基板、
３１６Ａ  電極部、３１６Ｂ  電極部、３１６Ｃ  電極部、３１６Ｄ  電極部、
３２０  ポテンシャル井戸、３２２  ポテンシャル井戸、３２４  ポテンシャル井戸、
３２６  ポテンシャル井戸、３２８  ポテンシャル井戸
【図１】
0004692160.tif 000002
【図２】
0004692160.tif 000003
【図３】
0004692160.tif 000004
【図４】
0004692160.tif 000005
【図５】
0004692160.tif 000006
【図６】
0004692160.tif 000007
【図７】
0004692160.tif 000008
【図８】
0004692160.tif 000009
【図９】
0004692160.tif 000010
【図１０】
0004692160.tif 000011
【図１１】
0004692160.tif 000012
【図１２】
0004692160.tif 000013
【図１６】
0004692160.tif 000014
【図１７】
0004692160.tif 000015
【図１８Ａ】
0004692160.tif 000016
【図１８Ｂ】
0004692160.tif 000017
【図１９Ａ】
0004692160.tif 000018
【図１９Ｂ】
0004692160.tif 000019
【図１３Ａ】
0004692160.tif 000020
【図１３Ｂ】
0004692160.tif 000021
【図１３Ｃ】
0004692160.tif 000022
【図１４Ａ】
0004692160.tif 000023
【図１４Ｂ】
0004692160.tif 000024
【図１４Ｃ】
0004692160.tif 000025
【図１４Ｄ】
0004692160.tif 000026
【図１５】
0004692160.tif 000027